(57)【要約】【課題】遊技盤を取付けるためのスペースを前枠側に大きく確保して大きな遊技盤を前枠に取付け得る遊技機用の施錠装置を提供する。【解決手段】前枠１２を外枠１１に対して施錠する遊技機用の施錠装置１であって、前枠１２に固定される鉤部材２と、外枠１１に移動可能に取付けられる鉤受部材６を有している。鉤受部材６は、前枠１２を閉じた位置にした際に、付勢部材によって付勢されて鉤部材２に係止し、前枠１２に取付けられたシリンダ錠４によって回動されたカム部材５から力を受けて付勢部材に抗して移動することで鉤部材２を係止解除する構成になっている。【選択図】        図１
2007159898.tif 000002
【特許請求の範囲】
【請求項１】
矩形枠状の外枠に開閉回動可能に取付けられた前枠を外枠に対して閉じた位置にて施錠する遊技機用の施錠装置であって、
前記前枠に固定される鉤部材と、前記外枠に移動可能に取付けられる鉤受部材を有し、前記鉤受部材は、前記前枠を閉じた位置にした際に、付勢部材によって付勢されて前記鉤部材に係止し、前記前枠に取付けられたシリンダ錠によって回動されたカム部材から力を受けて前記付勢部材に抗して移動することで前記鉤部材を係止解除する構成になっていることを特徴とする遊技機用の施錠装置。
【請求項２】
請求項１に記載の遊技機用の施錠装置であって、
鉤部材は、前枠から外枠に向けて突出する鉤部を有し、
前記鉤部は、シリンダ錠よりも前記前枠の回動先端側の側端部寄りに配設されることを特徴とする遊技機用の施錠装置。
【請求項３】
請求項１または２に記載の遊技機用の施錠装置であって、
外枠に固定される鉤受ベース部材を有し、
前記鉤受ベース部材は、鉤部材の鉤部が挿入される挿入部を有し、鉤受部材が前記鉤受ベース部材に上下動可能に取付けられ、
前記鉤受部材は、上下動することで前記挿入部に挿入された前記鉤部に対して係脱する係止部と、シリンダ錠の錠軸によって回動されたカム部材から力を受ける力受部を有していることを特徴とする遊技機用の施錠装置。
【発明の詳細な説明】
【技術分野】
【０００１】
本発明は、外枠に開閉回動可能に取付けられた前枠を外枠に対して閉じた位置にて施錠する遊技機用の施錠装置に関する。
【背景技術】
【０００２】
従来、特許文献１，２に記載の遊技機用の施錠装置が知られている。
特許文献１，２に記載の施錠装置は、パチンコ機の施錠装置であって、前枠に取付けられる縦長の基枠体と、基枠体の上部と下部に傾動可能に取付けられる鉤部材と、基枠体に対して上下動可能に設けられ一対の鉤部材を連結する連結杆を有している。基枠体の中間部には、シリンダ錠が設けられており、シリンダ錠の錠軸に取付けられたカム部材によって連結杆が押されて移動し、鉤部材が傾動する。そして鉤部材が外枠に固定された鉤受部材に対して傾動することで、鉤部材が鉤受部材に対して係脱する。
従来、特許文献３に記載の遊技機も知られている。特許文献３に記載の遊技機は、金属材料によって形成された薄肉状の外枠を有している。したがって外枠の枠開口部の面積が広く確保され、枠内に収納される遊技盤用のスペースが広く確保される構成になっている。
【特許文献１】特開平４−３２１５０号公報
【特許文献２】特開平１０−１５１９８号公報
【特許文献３】特開２００４−１８８０６５号公報
【発明の開示】
【発明が解決しようとする課題】
【０００３】
ところが遊技盤は、前枠に取付けられ、前枠には、施錠装置の鉤部材等が取付けられている。したがって前枠側の遊技盤用のスペースが鉤部材等によって狭くなる問題があった。
そこで本発明は、遊技盤を取付けるためのスペースを前枠側に大きく確保して大きな遊技盤を前枠に取付け得る遊技機用の施錠装置を提供することを課題とする。
【課題を解決するための手段】
【０００４】
前記課題を解決するために本発明は、各請求項に記載の通りの構成を備える遊技機用の施錠装置であることを特徴とする。
請求項１に記載の発明によると、前枠に固定される鉤部材と、外枠に移動可能に取付けられる鉤受部材を有している。鉤受部材は、前枠を閉じた位置にした際に、付勢部材によって付勢されて鉤部材に係止し、前枠に取付けられたシリンダ錠によって回動されたカム部材から力を受けて付勢部材に抗して移動することで鉤部材を係止解除する構成になっている。
【０００５】
したがって施錠装置は、移動可能な鉤受部材を外枠側に有しているために、前枠に取付けられる鉤部材が前枠に対して固定される。そのため前枠に取付けられる施錠装置の部材は、コンパクトな構成になっている。例えば、従来の施錠装置は、前枠に固定された基枠体に鉤部材を傾動可能に取付けるピンと、鉤部材をシリンダ錠の錠軸に連動させる連結杆と、連結杆を付勢する付勢部材を有する複雑な構成になっていた。これに対して本発明の施錠装置は、前枠に取付けられる部材としてこれらを不要とするため、コンパクトな構成になっている。したがって遊技盤を取付けるためのスペースを前枠側に大きく確保することができ、これによって大きな遊技盤を前枠に取付けることを許容する。
【０００６】
請求項２に記載の発明によると、鉤部材は、前枠から外枠に向けて突出する鉤部を有している。そして鉤部は、シリンダ錠よりも前枠の回動先端側の側端部側に配設される。
ところで従来の施錠装置は、鉤部がシリンダ錠よりも前枠左右中央寄りに配設されていた。この理由は、前枠側に取付けられる部品が多いために、シリンダ錠よりも前枠の回動先端側の狭いスペースに鉤部を配設することが困難だったからである。これに対して本発明は、鉤部材が前枠に固定されるために、鉤部材の鉤部をシリンダ錠よりも前枠の回動先端側に配設することが可能になっている。そして鉤部をシリンダ錠よりも前枠の回動先端側に配設することで、前枠側の遊技盤用のスペースを大きく確保することができる。
【０００７】
請求項３に記載の発明によると、施錠装置は、外枠に固定される鉤受ベース部材を有している。そして鉤受ベース部材は、鉤部材の鉤部が挿入される挿入部を有し、鉤受部材が鉤受ベース部材に上下動可能に取付けられている。鉤受部材は、上下動することで挿入部に挿入された鉤部に対して係脱する係止部と、シリンダ錠によって回動されたカム部材から力を受ける力受部を有している。
したがって鉤部材の鉤部が鉤受ベース部材の挿入部に挿入され、その鉤部に鉤受部材の係止部が係止する。
【発明の効果】
【０００８】
本発明の遊技機用の施錠装置によると、前枠側の遊技盤用のスペースを大きく確保することができるため、大きな遊技盤を前枠に取付けることができる。
【発明を実施するための最良の形態】
【０００９】
本発明に係る施錠装置１を図１〜７にしたがって説明する。
施錠装置１は、図１に示すようにパチンコ機やスロット機などの遊技機１０に取付けられる。
遊技機１０は、外枠１１と前枠１２を有している。外枠１１は、上枠部材１１ａと下枠部材１１ｂと左枠部材１１ｃと右枠部材１１ｄを矩形状に枠組みし、下側前面に幕板１１ｅを取付けることで形成されている。
【００１０】
前枠１２は、平板材であって中央部に開口窓１２ａを有している。前枠１２の一端部１２ｂの上部と下部は、ヒンジ１６によって外枠１１に対して回動可能に取付けられる。したがって前枠１２は、外枠１１に対して開いた位置と閉じた位置の間で回動する。そして前枠１２は、施錠装置１によって閉じた位置にて外枠１１に対して施錠される。そして図示省略の遊技盤が前枠１２に取付けられる。
【００１１】
施錠装置１は、図１に示すように前枠１２に取付けられる前枠側部材１ａと、外枠１１に取付けられる外枠側部材１ｂを有している。
前枠側部材１ａは、図２に示すように縦長の鉤部材２と、鉤部材２に取付けられるガラス窓用鉤部材３とシリンダ錠４を有している。
鉤部材２は、断面Ｌ字状であって、取付部２ａと取付部２ａに対して立設する立設部２ｂを一体に有している。
【００１２】
取付部２ａは、図１に示すように前枠１２の側端部１２ｃ寄りの裏面に取付けられて固定されている。
立設部２ｂは、開口窓１２ａ寄りの取付部２ａの側縁に立設されている。立設部２ｂの上部と下部には、図２に示すように鉤部２ｃが設けられており、立設部２ｂの上下中央寄りには、シリンダ錠取付部２ｄが設けられている。
【００１３】
鉤部２ｃは、図１，２に示すように立設部２ｂから外枠１１に向けて突出している。そして鉤部２ｃは、前枠１２を閉じ位置に回動した際に、図４に示すように外枠側部材１ｂに挿入される。
シリンダ錠取付部２ｄは、図１，２に示すように立設部２ｂの先端縁一部から前枠１２の開口窓１２ａに向けて張出している。シリンダ錠取付部２ｄには、シリンダ錠４が取付けられる。
【００１４】
シリンダ錠４は、図２に示すようにシリンダ錠取付部２ｄの中央開口部２ｄ１に挿通された状態でシリンダ錠取付部２ｄに取付けられる。
シリンダ錠４は、鍵穴に鍵が挿入され、鍵を回すことで軸回転する錠軸４ａを有している。錠軸４ａは、シリンダ錠４の本体部から後端部が突出しており、後端部にカム部材５が取付けられている。
【００１５】
カム部材５は、図２に示すようにシリンダ錠４から後方（図２左方向）に張出す一対の張出片５ａ，５ｂを有している。張出片５ａは、シリンダ錠４の錠軸４ａを時計回りに回転させた場合に外枠側部材１ｂの鉤受部材６に当接し、鉤受部材６を操作する。張出片５ｂは、錠軸４ａを反時計回りに回転させた場合にガラス窓用鉤部材３に当接し、ガラス窓用鉤部材３を操作する。
【００１６】
ガラス窓用鉤部材３は、図示省略の前枠１２に取付けられた遊技盤用のガラス窓を施錠する部材であって、鉤部材２に対して上下動可能に取付けられる。ガラス窓用鉤部材３は、図２に示すように縦長の本体部３ａを有し、本体部３ａは、上端部と下端部に形成された長穴３ａ１に挿通させたねじ１４を介して鉤部材２に対し上下動可能に取付けられている。
【００１７】
本体部３ａの上部と下部には、図２，４に示すように鉤部３ｂが形成されている。鉤部３ｂは、鉤部材２に形成された挿通孔２ｆに挿通されて前方（右方向）に突出する。
本体部３ａの下端部には、付勢部材１３の一端部が係止される係止部３ｅが形成されており、鉤部材２の立設部２ｂの下端部には、付勢部材１３の他端部が係止される係止部２ｅが形成されている。付勢部材１３は、コイルスプリングであって、ガラス窓用鉤部材３が付勢部材１３によって下方に付勢されている。
【００１８】
本体部３ａの後端縁には、図２に示すように後方に突出する力受部３ｃが形成されている。力受部３ｃは、シリンダ錠４の錠軸４ａを反時計回りに回動させた場合にカム部材５の張出片５ｂによって上方への力を受ける。したがってガラス窓用鉤部材３は、カム部材５から力を受けて上方に移動する。
【００１９】
外枠側部材１ｂは、図３に示すように鉤受ベース部材７と、鉤受ベース部材７に対して移動可能に取付けられる鉤受部材６を有している。
鉤受ベース部材７は、断面コ字状であって、外枠１１の右枠部材１１ｄの内枠面に取付けられる取付部７ａと、取付部７ａの端縁に立設する一対の立設部７ｂ，７ｃを有している（図７参照）。立設部７ｂの上側部と下側部には、図３，４に示すように鉤部２ｃが挿入される挿入部７ｂ１が形成されている。
【００２０】
鉤受部材６は、図３に示すように断面コ字状であって、縦長の本体部６ａと、本体部６ａの前端縁に立設する立設部６ｂと、本体部６ａの後端縁に立設する立設部６ｃを有している。鉤受部材６は、鉤受ベース部材７に収納され、鉤受ベース部材７の立設部７ｂ，７ｃによって前後動が規制される。
鉤受部材６は、本体部６ａの上端部と下端部に形成された長穴６ａ１に挿通させたねじ１６を介して鉤受ベース部材７の取付部７ａに対して上下動可能に取付けられる。
【００２１】
本体部６ａの上端部には、図３に示すように付勢部材１５の一端部が係止される係止部６ｄが形成されおり、鉤受ベース部材７の取付部７ａの上端部には、付勢部材１５の他端部が係止される係止部７ｄに形成されている。付勢部材１５は、コイルスプリングであって、鉤受部材６が付勢部材１５によって上方に付勢されている。
【００２２】
本体部６ａには、左側に突出する力受部６ｅが形成されている。力受部６ｅは、図４に示すようにカム部材５の張出片５ａに対応する位置に設けられており、シリンダ錠４の錠軸４ａを時計回りに回転させることで、張出片５ａによって下方に押される。したがって鉤受部材６は、錠軸４ａを時計回りに回転させることで、付勢部材１５に抗して下方に移動する。
【００２３】
立設部６ｂは、図３，４に示すように鉤受ベース部材７の挿入部７ｂ１に対応した位置に開口部６ｂ２と係止部６ｂ１を有している。係止部６ｂ１は、鉤受部材６が鉤受ベース部材７に対して上下動した際に、鉤受ベース部材７の挿入部７ｂ１に対して出没方向に移動して鉤部２ｃに対して係脱する。
【００２４】
施錠装置１を施錠状態にする場合は、先ず、前枠１２を外枠１１に対して開いた状態から閉じた状態に回動させる（図１参照）。これにより前枠側部材１ａの鉤部２ｃが外枠側部材１ｂの係止部６ｂ１に当たり、鉤受部材６が付勢部材１５の付勢力に抗して鉤部２ｃによって押下げられる（図５参照）。そして鉤部２ｃが挿入部７ｂ１に貫通し、鉤受部材６が付勢部材１５によって上方に移動し、鉤受部材６の係止部６ｂ１が鉤部２ｃの掛止部２ｃ１に係止する（施錠状態）。
【００２５】
施錠装置１を施錠状態から解錠状態する場合には、シリンダ錠４に挿入した鍵を時計回りに回転させる（図６参照）。これによりカム部材５が図６（Ｂ）に示す矢印Ａ方向に回転し、鉤受部材６の力受部６ｅがカム部材５の張出片５ａによって押下げられる。そして鉤受部材６が付勢部材１５に抗して下方に移動し、係止部６ｂ１が鉤部２ｃの掛止部２ｃ１から脱して、施錠装置１が解錠状態になる。
【００２６】
ガラス窓用鉤部材３を作動させる場合には、シリンダ錠４に挿入した鍵を反時計回りに回転させる。これによりカム部材５が図６（Ｂ）に示す矢印Ａ方向と逆方向に回動し、ガラス窓用鉤部材３の力受部３ｃがカム部材５の張出片５ｂによって押上げられる。その結果、ガラス窓用鉤部材３が付勢部材１３に抗して上方に移動し、ガラス窓用鉤部材３がガラス枠施錠具を解錠状態にする。
【００２７】
外枠１１の上枠部材１１ａと下枠部材１１ｂと幕板１１ｅは、図１に示すように木製であって、左枠部材１１ｃと右枠部材１１ｄは、アルミなどの金属製である。左枠部材１１ｃと右枠部材１１ｄは、金属製であるために厚さ１〜５ｍｍの薄板状であって、外枠１１の開口面積を広く確保する構成になっている。
【００２８】
左枠部材１１ｃと右枠部材１１ｄは、縦方向に延出する複数のリブを有しており、図７に示すように右枠部材１１ｄは、複数のリブ１１ｄ１〜１１ｄ３を有している。右枠部材１１ｄのリブ１１ｄ２，１１ｄ３を避けた位置には、外枠側部材１ｂが取付けられており、外枠側部材１ｂは、リブ１１ｄ２，１１ｄ３よりも右枠部材１１ｄに対して厚み方向に突出しない構成になっている。したがって外枠１１の開口面積が外枠側部材１ｂによって狭くなることを防止した構成になっている。
【００２９】
以上のようにして施錠装置１が構成されている。
すなわち施錠装置１は、図１に示すように前枠１２に固定される鉤部材２と、外枠１１に移動可能に取付けられる鉤受部材６を有している。鉤受部材６は、図５に示すように前枠１２を閉じた位置にした際に、付勢部材１５によって付勢されて鉤部材２に対して係止し、図６に示すように前枠１２に取付けられたシリンダ錠４によって回動されたカム部材５から力を受けて付勢部材１５に抗して移動して鉤部材２を係止解除する構成になっている。
【００３０】
したがって施錠装置１は、移動可能な鉤受部材６を外枠１１側に有しているために、前枠１２に取付けられる鉤部材２が前枠１２に対して固定される。そのため前枠１２に取付けられる施錠装置１の前枠側部材１ａは、コンパクトな構成になっている（図４参照）。例えば、従来の施錠装置は、前枠に固定された基枠体に鉤部材を傾動可能に取付けるピンと、鉤部材をシリンダ錠の錠軸に連動させる連結杆と、連結杆を付勢する付勢部材を有する複雑な構成になっていた。これに対して本形態の施錠装置１は、前枠１２に取付けられる部材としてこれらを不要とするため、コンパクトな構成になっている。したがって遊技盤を取付けるのためのスペースを前枠１２側に大きく確保することができ、これによって大きな遊技盤を前枠１２に取付けることを許容する。
【００３１】
また鉤部材２は、図１に示すように前枠１２から外枠１１に向けて突出する鉤部２ｃを有している。そして鉤部２ｃは、シリンダ錠４よりも前枠１２の回動先端側の側端部１２ｃ側に配設される。
ところで従来の施錠装置は、鉤部がシリンダ錠よりも前枠左右中央寄りに配設されていた。この理由は、前枠側に取付けられる部品が多いために、シリンダ錠よりも前枠の回動先端側の狭いスペースに鉤部を配設することが困難だったからである。これに対して本形態は、鉤部材２が前枠１２に固定されるために、鉤部材２の鉤部２ｃをシリンダ錠４よりも前枠１２の回動先端側に配設することが可能になっている。そして鉤部２ｃをシリンダ錠４よりも前枠１２の回動先端側に配設することで、前枠１２側の遊技盤用のスペースを大きく確保することができる。
【００３２】
また施錠装置１は、図１に示すように外枠１１に固定される鉤受ベース部材７を有している。そして鉤受ベース部材７は、図４に示すように鉤部材２の鉤部２ｃが挿入される挿入部７ｂ１を有し、鉤受部材６が鉤受ベース部材７に上下動可能に取付けられている。鉤受部材６は、上下動することで挿入部７ｂ１に挿入された鉤部２ｃに対して係脱する係止部６ｂ１と、シリンダ錠４によって回動されたカム部材５から力を受ける力受部６ｅを有している。
したがって鉤部材２の鉤部２ｃが鉤受ベース部材７の挿入部７ｂ１に挿入され、その鉤部２ｃに鉤受部材６の係止部６ｂ１が係止する。
【００３３】
（他の実施の形態）
本発明は、上記の実施の形態に限定されず、以下の形態であっても良い。
（１）すなわち上記実施の形態の鉤受部材６は、図４に示すように付勢部材１５によって上方に付勢され、上方に移動することで鉤部２ｃに係止する構成になっていた。しかし鉤受部材が他の方向、例えば下方、あるいは上下傾動方向に付勢され移動（傾動）することで鉤部に係止する構成になっていても良い。
（２）上記実施の形態の施錠装置１は、図１に示すように外枠側部材１ｂが金属製の右枠部材１１ｄに取付けられていた。しかし外枠が木製の右枠部材を有しており、木製の右枠部材に施錠装置の外枠側部材が取付けられる形態であっても良い。
【図面の簡単な説明】
【００３４】
【図１】遊技機の外枠、前枠および施錠装置の斜視図である。
【図２】施錠装置の前枠側部材の構成部品図である。
【図３】施錠装置の外枠側部材の構成部品図である。
【図４】施錠装置の解錠状態における施錠装置の斜視図（Ａ）と、施錠状態における斜視図（Ｂ）である。
【図５】施錠装置を解錠状態から施錠状態にする様子を示す施錠装置の左側面図である。
【図６】施錠装置を施錠状態から解錠状態にする様子を示す施錠装置の左側面図（Ａ）（Ｃ）と背面図（Ｂ）（Ｄ）である。
【図７】図１のVII―VII線断面矢視図である。
【符号の説明】
【００３５】
１…施錠装置
１ａ…前枠側部材
１ｂ…外枠側部材
２…鉤部材
２ｃ…鉤部
３…ガラス窓用鉤部材
４…シリンダ錠
４ａ…錠軸
５…カム部材
６…鉤受部材
６ｂ１…係止部
６ｅ…力受部
７…鉤受ベース部材
７ｂ１…挿入部
１１…外枠
１２…前枠
１３，１５…付勢部材
【図１】
2007159898.tif 000003
【図２】
2007159898.tif 000004
【図３】
2007159898.tif 000005
【図４】
2007159898.tif 000006
【図５】
2007159898.tif 000007
【図６】
2007159898.tif 000008
【図７】
2007159898.tif 000009